(57)【要約】【課題】１パーツで、金型作製費用や成形費用が安価であり、セット費用も必要なく、製品の製作費用が安価であり、また、流通過程や使用時に、破損や液漏れ事故の危惧がない液垂れ防止付計量キャップおよびその射出成形金型を提供する。【解決手段】容器口部に螺着する天板中央位置に烏口状注ぎ口をもつ本体キャップの上方に螺着する計量キャップであって、周壁１２０の内周面に本体キャップとの雌ネジ１２１を設け、天板１１０内周縁上面に円筒状の周壁１３１と底板１３２とからなる計量カップ１３０を倒立状態で立設し、天板内周縁下面に、計量カップに連通させて周壁１４１の下方が漸次狭くなり下端に外側へ開く液垂れ防止形状先端部１４２をもつ注出筒１４０を垂設し、この注出筒と周壁間の天板下面に本体キャップとのコンタクト封止リング１１０を垂設し、射出成形法による一体成形品である。【選択図】図１
2006168751.tif 000002
【特許請求の範囲】
【請求項１】
容器口部に螺着する天板中央位置に烏口状注ぎ口をもつ本体キャップの上方に螺着する計量キャップにおいて、周壁の内周面に本体キャップとの雌ネジを設け、天板内周縁上面に円筒状の周壁と底板とからなる計量カップを倒立状態で立設し、天板内周縁下面に、計量カップに連通させて周壁の下方が漸次狭くなり下端に外側へ開く液垂れ防止形状先端部をもつ注出筒を垂設し、この注出筒と周壁間の天板下面に本体キャップとのコンタクト封止リングを垂設し、かつ、射出成形法による一体成形品であることを特徴とする液垂れ防止付計量キャップ。
【請求項２】
請求項１に記載の液垂れ防止付計量キャップを成形する射出成形金型であって、ゲートを有する雌型と雄型からなり、雄型の中央位置に、上方が計量カップの底板内面を形成する上面をもつ倒立円錐状で、下方が円柱状のセンターピンを設け、このセンターピンの外周面に摺動可能に、計量カップの周壁内周面と注出筒の液垂れ防止形状の先端部以外の内周面を形成し下方が縮径の円筒状の上部コアを設け、この上部コアの外周面に摺動可能に、注出筒の液垂れ防止形状先端部の内面を形成する台形円筒状の下部コアを設け、この下部コアの下方の内側の所定位置に円筒状の空間を設け、この円筒状の空間の下方の所定位置に、上部コアに固着する下部コア係止２つ割りリングを設け、下部コアの外周面に下部コアが摺動可能に、天板及びコンタクト封止リングの内面と周壁及び雌ネジの内面と注出筒の内面を形成する上方が台形円筒状の中間コアを設け、この中間コアの外周面に摺動可能に、上面が周壁下端面を形成し雌型とのパーティングラインとなるストリッパープレートを設けたことを特徴とする射出成形金型。
【発明の詳細な説明】
【技術分野】
【０００１】
本発明は、ＰＥＴボトルなどの容器口部に螺着する天板中央位置に烏口状注ぎ口をもつ本体キャップの上方に螺着して使用する液垂れ防止付計量キャップおよびその射出成形金型に関するものである。
【背景技術】
【０００２】
従来、使用するときに計量する必要のある内容物を収納する容器においては、容器口部に螺着する天板の中央位置に烏口状注ぎ口をもつ本体キャップの上方に、計量カップをもつ計量キャップが倒立状態で螺着されていた。使用するときは、計量キャップを容器口部から螺脱し、正立状態にして、容器口部に螺着する本体キャップの烏口状注ぎ口から、内容物を計量カップの目盛りにあわせて注入して使用していた。この計量キャップには、計量した内容物を目的物に注ぎ出すときに、液垂れして容器の外周面や周りのものを汚さないように、液垂れ防止付の計量キャップもあった。例えば図３に示す液垂れ防止付計量キャップ（３００）は、注出筒付キャップ本体（３１０）と計量キャップ（３２０）とからなり、キャップ本体は、周壁（３１１）の外周面に嵌着のための縦のローレット目（３１２）を刻み、周壁内周面に本体キャップとの雌ネジを設け、天板（３１３）の内周縁上面に計量のために所定位置に計量目盛り（３１５）を表示する目盛り筒（３１４）を立設し、天板内周縁下面に目盛り筒に連通させて下方が漸次狭くなり下端に外側へ開く液垂れ防止形状先端部（３１７）をもつ注出筒（３１６）を垂設し、計量キャップは、二段構造で嵌合周壁（３２１）と計量カップ（３２２）とからなり、キャップ本体と計量キャップとのセットは、キャップ本体の目盛り筒（３１５）を計量キャップの計量カップ（３２２）に、また、キャップ本体の周壁（３１１）を計量キャップの嵌合周壁（３２１）に挿着し、キャップ本体の周壁に刻んだ縦のローレット目（３１２）によって、キャップ本体と計量キャップとが外れないようにしっかりと嵌合させたものであった。なお、キャップ本体と計量キャップとは、透明で適正な剛性をもつ熱可塑性樹脂を用いて、射出成形法によりそれぞれ別個に成形するものであった。
【発明の開示】
【発明が解決しようとする課題】
【０００３】
しかしながら、上述した従来の液垂れ防止付計量キャップは、注出筒付キャップ本体と計量カップとの２パーツからなるため、金型作製費用、成形費用が２パーツ分掛かり、更にセット費用が必要となって、製品の製作費用が高くついた。また、流通過程や使用時に、外的衝撃により注出筒付キャップ本体と計量カップとが外れたり、緩んで液漏れ事故を発生することなどがあった。
【０００４】
本発明は、上述の従来の液垂れ防止付計量キャップの問題点を解決したもので、１パーツであるため、金型作製費用や成形費用が安価であり、セット費用も必要なく、製品の製作費用が安価で、流通過程や使用時に、破損や液漏れ事故の危惧がない液垂れ防止付計量キャップおよびその射出成形金型を提供するものである。
【課題を解決するための手段】
【０００５】
すなわち、本発明の第１の発明は、容器口部に螺着する天板中央位置に烏口状注ぎ口をもつ本体キャップの上方に螺着する計量キャップにおいて、周壁の内周面に本体キャップとの雌ネジを設け、天板内周縁上面に円筒状の周壁と底板とからなる計量カップを倒立状態で立設し、天板内周縁下面に、計量カップに連通させて周壁の下方が漸次狭くなり下端に外側へ開く液垂れ防止形状先端部をもつ注出筒を垂設し、この注出筒と周壁間の天板下面に本体キャップとのコンタクト封止リングを垂設し、かつ、射出成形法による一体成形
品であることを特徴とする液垂れ防止付計量キャップである。
【０００６】
そして、本発明の第２の発明は、第１の発明に記載の液垂れ防止付計量キャップを成形する射出成形金型であって、ゲートを有する雌型と雄型からなり、雄型の中央位置に、上方が計量カップの底板内面を形成する上面をもつ倒立円錐状で、下方が円柱状のセンターピンを設け、このセンターピンの外周面に摺動可能に、計量カップの周壁内周面と注出筒の液垂れ防止形状の先端部以外の内周面を形成し下方が縮径の円筒状の上部コアを設け、この上部コアの外周面に摺動可能に、注出筒の液垂れ防止形状先端部の内面を形成する台形円筒状の下部コアを設け、この下部コアの下方の内側の所定位置に円筒状の空間を設け、この円筒状の空間の下方の所定位置に、上部コアに固着する下部コア係止２つ割りリングを設け、下部コアの外周面に下部コアが摺動可能に、天板及びコンタクト封止リングの内面と周壁及び雌ネジの内面と注出筒の内面を形成する上方が台形円筒状の中間コアを設け、この中間コアの外周面に摺動可能に、上面が周壁下端面を形成し雌型とのパーティングラインとなるストリッパープレートを設けたことを特徴とする射出成形金型である。
【発明の効果】
【０００７】
本発明の液垂れ防止付計量キャップは、前述した従来の２パーツからなる液垂れ防止付計量キャップとは異なり、１パーツであるため、金型数が１つでよく金型作製費用や成形費用が安価である。また、成形後に従来の液垂れ防止付計量キャップのようなセット工程を必要としない。従って、製品の製作費用が安価である。
【０００８】
また、本発明の液垂れ防止付計量キャップは、１パーツであるため、従来の２パーツをセットした液垂れ防止付計量キャップのように、流通過程や使用時に、外的衝撃によりセットパーツが分離する破損や、緩んで液漏れ事故を発生するような危惧がない。
【０００９】
また、本発明の射出成形金型は、ゲートを有する雌型と雄型からなり、雄型が、中央位置のセンターピンと、センターピンに摺動可能な上部コアと、上部コアに摺動可能な下部コアと、下部コアが摺動可能な中間コアと、中間コアに摺動可能なストリッパープレートとから構成されており、これらのセンターピン、上部コア、下部コア、ストリッパープレートを順次に摺動させることによって、アンダーカット形状部分を無理抜きして離型することができ、アンダーカット形状を有する液垂れ防止付計量キャップを、一体成形することができる。
【発明を実施するための最良の形態】
【００１０】
次に、本発明の液垂れ防止付計量キャップおよびその射出成形金型の一実施形態について、図を用いて詳細に説明する。
【００１１】
図１は、本実施形態の液垂れ防止付計量キャップの部分断面図であり、図２は、その射出成形金型の構造を示す説明図である。
【００１２】
本実施形態の液垂れ防止付計量キャップは、洗剤、柔軟剤などの液体内容物を収納する例えばＰＥＴボトルなどの口頸部に螺着する天板中央位置に烏口状注ぎ口をもつ本体キャップの上方に、螺着して使用する液垂れ防止付の計量キャップである。
【００１３】
そして、本実施形態の液垂れ防止付計量キャップ（１００）の構造は、図１に示すように、周壁（１２０）の内周面に本体キャップの雄ネジと螺合する２条ネジの雌ネジ（１２１）が設けられており、天板（１１０）内周縁上面に円筒状の周壁（１３１）と底板（１３２）とからなる有底の計量カップ（１３０）が倒立状態で立設し、天板（１１０）内周縁下面に、上記の計量カップに連通させて周壁（１４１）の下方が漸次狭くなり下端に外側へ開く液垂れ防止形状先端部（１４２）をもつ注出筒（１４０）を垂設するものである
。また、注出筒（１４０）と周壁（１２０）間の天板（１１０）下面に本体キャップを封止するコンタクト封止リング（１１１）を垂設するものである。そして、透明又は半透明で適度の弾性及び剛性をもつポリプロピレンなどの熱可塑性樹脂を用いて、射出成形法により一体成形されるものである。なお、成形材料としては、液垂れ防止付計量キャップを倒立したときの注出筒の上端径をＡとし、下端部の最小径をＢとしたときに、弾性伸びの限界が、Ａ／Ｂ×１００（％）の数値より大きい弾性の高い樹脂が使用できる。
【００１４】
なお、図１に示すように、計量カップ（１３０）の周壁（１３１）の外周面の所定位置に、計量目盛り（３１４）を印刷、転写絵付や彫刻で表示するものである。また、周壁（１２０）の外周には、液垂れ防止付計量キャップ（１００）を本体キャップから螺脱又は本体キャップに螺着し易いように、縦のローレット目（１２２）を設けるものである。
【００１５】
次に、上述の本実施形態の液垂れ防止付計量キャップを成形するための射出成形金型（２００）は、図２に示すように、固定側に取り付けるゲート（２１１）を有する雌型（２１０）と可動側に取り付ける雄型（２２０）からなるものである。そして、雄型の構造は、中央位置に、上方が計量カップの底板内面を形成する上面をもつ倒立円錐状で、下方が円柱状のセンターピン（２２１）を設け、このセンターピンの外周面に摺動可能に、計量カップの周壁内周面と注出筒の液垂れ防止形状の先端部以外の内周面を形成し下方が縮径の円筒状の上部コア（２２２）を設け、この上部コアの外周面に摺動可能に、注出筒の液垂れ防止形状先端部の内面を形成する台形円筒状の下部コア（２２３）を設け、この下部コアの下方の内側の所定位置に円筒状の空間（２２４）を設け、この円筒状の空間の下方の所定位置に、上部コアに固着する下部コア係止２つ割りリング（２２５）を設け、下部コアの外周面に下部コアが摺動可能に、天板及びコンタクト封止リングの内面と周壁及び雌ネジの内面と注出筒の内面を形成する上方が台形円筒状の中間コア（２２６）を設け、この中間コアの外周面に摺動可能に、上面が周壁下端面を形成し雌型とのパーティングライン（２０１）（雌型と雄型との分割面）であり、成形品を離型させるストリッパープレート（２２７）を設けるものである。
【００１６】
なお、下部コア係止２つ割りリングを上方コアの下方位置に固着する方法は、一般的にはネジ止めによるものである。また、センターピンや上部コアは、成形時に加熱され易く冷却する必要があるが、この冷却方法としては、センターピンの中心内部に冷却孔を設け、この冷却孔に吹上管を挿着し、冷却水を吹上管の先端から吹き上げる方式が好ましい。また、センターピンと上方コアの間隙を減圧エアで冷却する方式が好ましい。加圧エアで冷却する方式によると、成形品や金型内にエアに混入する塵埃が付着することがあり好ましくない。
【００１７】
上述の射出成形金型の成形品の離型方法は、成形機上で成形が完了したのちに、固定側の雌型と可動側の雄型とをパーティングラインで型開きすると、成形品には雌ネジと注出筒の二箇所にアンダーカット部分があるため、成形品は、雄型に付着して雌型から離型する。そして、成形品の雄型からの離型は、まず、下部コアを、上部コアの下方に固着する下部コア係止２つ割りリングに下部コアの空間の上端面が当接するまで下降させて、上部コアと下部コアの間を開く。次に、ストリッパープレートとセンターピンとをタイミングを計って突き出して、中間コアからアンダーカット部分である雌ネジを無理抜きし、同時に上部コアからアンダーカット部分である注出筒を無理抜きして成形品を雄型から離型するものである。なお、下部コアと下部コア係止２つ割りリング間の空間は、上部コアと下部コアの開く距離を制御し、また、センターピンが突き出すときに、上部コアを保持する役目を持っている。
【図面の簡単な説明】
【００１８】
【図１】本発明の一実施形態の液垂れ防止付計量キャップの構造を示す説明図である。
【図２】本発明の液垂れ防止付計量キャップの一実施形態の射出成形金型の構造を示す説明図である。
【図３】従来の一例の液垂れ防止付計量キャップの分解正面図である。
【符号の説明】
【００１９】
１００，３００……液垂れ防止付計量キャップ
１１０，３１３……天板
１１１……コンタクト封止リング
１２０，１３１，１４１，３１１……周壁
１２１……雌ネジ
１２２，３１２……ローレット目
１３０，３２２……計量カップ
１３２……底板
１３３，３１５……計量目盛り
１４０，３１６……注出筒
１４２，３１７……液垂れ防止形状先端部
２００……射出成形金型
２０１……パーティングライン
２１０……雌型
２１１……ゲート
２２０……雄型
２２１……センターピン
２２２……上部コア
２２３……下部コア
２２４……空間
２２５……下部コア係止２つ割りリング
２２６……中間コア
２２７……ストリッパープレート
３１０……注出筒付キャップ本体
３１４……目盛り筒
３２０……計量キャップ
３２１……嵌合周壁
【図１】
2006168751.tif 000003
【図２】
2006168751.tif 000004
【図３】
2006168751.tif 000005